(57)【要約】【課題】給電装置と受電装置との間で非接触にて画像データを送受信する場合、送信部及び受信部のデータ信号が干渉されることなく、通信障害を未然に防止する。【解決手段】送信部１８，３６及び受信部１７，３５は、給電コア４１及び受電コア２３の外周壁４１ａ，２３ａ側にそれぞれ給電コア４１及び受電コア２３を挟んで配置し、送信部１８，３６及び受信部１７，３５の導線３８，２０をそれぞれ給電基板４０及び受電基板２２の背面に配したものである。【選択図】図５
2007129462.tif 000002
【特許請求の範囲】
【請求項１】
非接触の電磁誘導作用により受電コイルに対して給電する給電コイルと、当該給電コイルを配置する給電コアとが給電基板上に設けられた給電装置と、
非接触の電磁誘導作用により誘導起電力を発生する前記受電コイルと、当該受電コイルを配置する受電コアとが受電基板上に設けられた受電装置と、
前記受電装置から供給される電力により駆動されるディスプレイと、
前記給電装置及び前記受電装置にそれぞれ設けられ、かつ前記ディスプレイに表示する画像データを前記給電装置と前記受電装置との間で非接触にて送受信する送信部及び受信部とを備え、
前記送信部及び前記受信部は、前記給電コア及び前記受電コアの外周壁側にそれぞれ前記給電コア及び前記受電コアを挟んで配置され、前記送信部及び前記受信部の導線をそれぞれ前記給電基板及び前記受電基板の背面に配したことを特徴とする非接触型データ及び電力伝送装置。
【請求項２】
請求項１に記載の非接触型データ及び電力伝送装置において、
前記送信部が赤外光を出射する広角型の発光ダイオードであるとともに、前記受信部が前記赤外光を入射する広角型のフォトトランジスタであることを特徴とする非接触型データ及び電力伝送装置。
【発明の詳細な説明】
【技術分野】
【０００１】
本発明は、非接触型データ及び電力伝送装置の技術分野に属し、特にディスプレイに表示する画像データを給電装置から受電装置に非接触にて伝送するとともに、給電装置から非接触の電磁誘導作用により受電装置に電力を供給する非接触型データ及び電力伝送装置の技術分野に属する。
【背景技術】
【０００２】
近年、種々の平面ディスプレイに関する研究開発が盛んに行われているが、その一つとして、有機ＥＬ（Electro Luminescence）を用いたディスプレイが実用段階にまで開発されている。この有機ＥＬディスプレイは、高輝度、高精細度、高反応速度及び高視野角等の特長を有しており、次世代の表示装置として期待されている。
【０００３】
また、上記有機ＥＬディスプレイは、その構造上、紙のように薄く且つ曲げることも可能な表示装置として構成することできるという特徴点を有しており、この特徴点の応用として、ポスター等の掲示物自体を有機ＥＬディスプレイにより構成することで、発光により掲示物としての視覚的な効果を格段に向上させたものも実現可能である。
【０００４】
ここで、上記のような有機ＥＬディスプレイにより掲示物を構成する場合、当然ながらその掲示時において当該掲示物としての有機ＥＬディスプレイに対してその駆動のための電力を供給することが必要となる。そして、掲示物の特性として、壁などの掲示場所に対して着脱可能とする必要があることを考慮したとき、従来の方法による電力の供給として考えられるのは、上記掲示場所と掲示物のそれぞれに電気的な接点を設け、上記掲示場所に設けられた電力供給源から上記掲示物に電力を供給するようにした構成が考えられる。
【０００５】
しかしながら、このような電気的な接点を介した電力供給の場合、着脱を何度も繰り返すことで電気的な接触度が低下し（すなわち、当該接点における抵抗値が増大し）、これにより電力供給が非効率になってくる場合があるという問題点がある。また、電気的な接点の場合は金属部分が外気に露出することとなるため、腐食又は錆び等の問題から、屋外の掲示物に対する給電には採用できないという問題点もある。また、接点をなくす方法には、電力供給源として電池や充電池を使用する場合があるが、これらを使用した場合には定期的な交換作業や充電作業が必要となる。
【０００６】
そこで、このような問題点に鑑み、上述した発光式の掲示物に対する給電装置として、従来の電気的な接点を用いる装置ではなく、電磁誘導作用を用いた非接触式の給電装置が検討されている。
【０００７】
すなわち、電磁誘導作用を用いた非接触式の給電装置では、例えば掲示物としての有機ＥＬディスプレイに受電装置を取り付ける共に、その受電装置と対向する位置に給電装置を配置し、この給電装置の給電コイルに直流電源からの電流を流すことで電磁誘導作用によりその給電コイルに対向する位置にある受電コイルに誘導電流を生じさせ、この誘導電流により当該受電コイルに電力を供給し、その電力により掲示物としての有機ＥＬディスプレイを駆動するようにしている。
【０００８】
また、近年では、上記非接触式の給電装置及び受電装置の双方に、それぞれ送信部及び受信部を設け、上記有機ＥＬディスプレイに表示する画像データを給電装置と受電装置との間で非接触にて送受信することにより、上記有機ＥＬディスプレイに表示する掲示物としての画像を変更することができるようにしている。
【発明の開示】
【発明が解決しようとする課題】
【０００９】
ところで、上記給電装置及び受電装置では、これらの給電コア及び受電コア同士は、至近距離で対向配置されることから、上述したように給電装置と受電装置との間で非接触にて画像データを送受信する場合、上記送信部と受信部とが接近して配置されると、データ信号が互いに干渉し、通信障害となる可能性がある。
【００１０】
また、上記送信部と受信部は、データ信号系を集約し、それら送信部と受信部の導線を信号処理回路と接続する際、上記給電コア及び受電コアにそれぞれ配置されたコイルのリード線や接続導線を跨ぐことになり、これによりデータ信号に干渉し、通信障害となる場合がある。
【００１１】
さらに、上記給電コア及び受電コアが完全なポット型ではなく、給電コア及び受電コアの内側に巻き始めのコイルのリード線が容易にコア外に導出するように形成されたものでは、コア材のない位置に漏洩磁束が発生し、データ信号に干渉する可能性がある。
【００１２】
本発明は、上記課題を解決するためになされたものであり、給電装置と受電装置との間で非接触にて画像データを送受信する場合、送信部及び受信部のデータ信号が干渉されることなく、通信障害を未然に防止することのできる非接触型データ及び電力伝送装置を提供することにある。
【課題を解決するための手段】
【００１３】
上記課題を解決するため、請求項１に係る発明は、非接触の電磁誘導作用により受電コイルに対して給電する給電コイルと、当該給電コイルを配置する給電コアとが給電基板上に設けられた給電装置と、非接触の電磁誘導作用により誘導起電力を発生する前記受電コイルと、当該受電コイルを配置する受電コアとが受電基板上に設けられた受電装置と、前記受電装置から供給される電力により駆動されるディスプレイと、前記給電装置及び前記受電装置にそれぞれ設けられ、かつ前記ディスプレイに表示する画像データを前記給電装置と前記受電装置との間で非接触にて送受信する送信部及び受信部とを備え、前記送信部及び前記受信部は、前記給電コア及び前記受電コアの外周壁側にそれぞれ前記給電コア及び前記受電コアを挟んで配置され、前記送信部及び前記受信部の導線をそれぞれ前記給電基板及び前記受電基板の背面に配したことを特徴とする。
【００１４】
請求項２に係る発明は、請求項１に記載の非接触型データ及び電力伝送装置において、前記送信部が赤外光を出射する広角型の発光ダイオードであるとともに、前記受信部が前記赤外光を入射する広角型のフォトトランジスタであることを特徴とする。
【発明の効果】
【００１５】
請求項１に係る発明によれば、送信部及び受信部は、給電コア及び受電コアの外周壁側にそれぞれ給電コア及び受電コアを挟んで配置したことにより、送信部と受信部とが分離して配置されるため、給電装置と受電装置との間で非接触にて画像データを送受信する場合、送信部及び受信部のデータ信号が干渉されることなく、通信障害を未然に防止することができる。
【００１６】
また、送信部及び受信部の導線をそれぞれ給電基板及び受電基板の背面に配したことにより、給電コイル及び受電コイルの漏洩磁束の影響を受けることがなくなり、送信部及び受信部のデータ信号が干渉されることなく、通信障害を一段と未然に防止することができる。
【００１７】
請求項２に係る発明によれば、送信部が赤外光を出射する広角型の発光ダイオードであるとともに、受信部が赤外光を入射する広角型のフォトトランジスタであることから、給電装置及び受電装置のそれぞれの送信部及び受信部の位置決めが容易になり、送信部及び受信部をそれぞれ給電基板及び受電基板に容易に組付けることができる。
【発明を実施するための最良の形態】
【００１８】
以下、図面を参照して本発明を実施するための最良の形態について説明する。
【００１９】
なお、以下に説明する実施形態は、ポスターとして用いられる平面ディスプレイとしての有機ＥＬディスプレイ（以下、単にディスプレイと称する）が掲示される壁面に受電装置を設置し、この受電装置にディスプレイ駆動用の電力を給電装置から供給するとともに、ディスプレイに表示する画像データを給電装置から受電装置に非接触にて伝送する非接触型データ及び電力伝送装置に対して本発明を適用した場合の実施の形態である。
【００２０】
図１は本実施形態の非接触型データ及び電力伝送装置を適用したデータ及び電力伝送システムの概要を示す外観斜視図、図２は図１のデータ及び電力伝送システムの構成を示すブロック図、図３（Ａ）はカバーシートを除いた図２の給電装置を示す平面図、図３（Ｂ）は図２の給電装置を示す断面図、図４（Ａ）はカバーシートを除いた図２の受電装置を示す平面図、図４（Ｂ）は図２の受電装置を示す断面図である。
【００２１】
図１に示すように、本実施形態に係るデータ及び電力伝送システムＳは、例えば壁面に取り付けられるディスプレイ１と、このディスプレイ１の裏面に取り付けられ、かつディスプレイ１に電力を供給して駆動させる受電装置２と、この受電装置２に正対させ、非接触の電磁誘導作用により受電装置２に給電するとともに、ディスプレイ１に表示する画像の変更時、その画像データを受電装置２に非接触にて伝送する給電装置３とから大略構成され、この給電装置３は、上記壁面に埋設され、直流電源４に接続されている。なお、給電装置３は、直接直流電源４から供給するのではなく、ＡＣ１００ボルト電源を図示しない電源回路を経て直流１２ボルトに変換して供給するようにしてもよい。
【００２２】
受電装置２は、受電コイル１１（図２に示す）を含みディスプレイ１の裏面に取り付けられた受電部１２と、受電回路１３と、制御部１４と、通信回路１５と、ディスプレイ１に電力を供給して駆動させる駆動部１６とを備えている。
【００２３】
また、受電装置２は、図１及び図２に示すようにディスプレイ１に表示する画像データを給電装置３から非接触にて受信する受信部としての広角型のフォトトランジスタ１７と、給電装置３から送信された画像データに誤りがないこと等を確認し、その確認データを給電装置３に送信する送信部としての広角型のＬＥＤ（発光ダイオード）１８とを備えている。このＬＥＤ１８は、赤外光を出射する。なお、フォトトランジスタ１７及びＬＥＤ１８は、通信回路１５に接続されている。
【００２４】
給電装置３は、図１及び図２に示すようにパソコン２８と接続される制御部２９と、通信回路３０と、直流電源４と接続される給電回路３１と、給電時に外部に露出している受電コイル１１と平行に対向し且つ例えば２ｍｍ程度の間隔に近接するように正対する給電コイル３２を含む給電部３３と、検出部３４とを備えている。
【００２５】
また、給電装置３は、図１及び図２に示すように受電装置２から送信された確認データ等を受信する受信部としての広角型のフォトトランジスタ３５と、ディスプレイ１に表示する画像を変更する場合等、その画像データを受電装置２に非接触にて送信する送信部としての広角型のＬＥＤ３６とを備えている。このＬＥＤ３６もＬＥＤ１８と同様に赤外光を出射する。そして、フォトトランジスタ３５及びＬＥＤ３６は、通信回路３０に接続されている。
【００２６】
給電装置３の構成において、図１及び図２に示すように直流電源４から例えば直流１２ボルトの電源電流が給電回路３１に出力する。なお、給電装置３がＡＣ１００ボルト電源と接続と接続される場合には、図示しない電源回路を経て直流１２ボルトの電源電流に変換される。
【００２７】
一方、フォトリフレクタ等により構成される検出部３４は、給電コイル３２と受電コイル１１とが平行に対向しているか否かを光学的に検出し、給電コイル３１が対向する位置にあることを示す検出信号を生成して制御部２９を介して給電回路３１に出力する。
【００２８】
これにより、給電回路３１は、電源信号を予め設定された周波数（例えば２０キロヘルツ）を有するパルス状の給電信号に変換し、検出部３４から上記検出信号が出力されているときのみ、すなわち、検出部３４において、給電コイル３２と受電コイル１１とが平行に対向する位置にあることが確認されたときのみ上記給電信号を給電コイル３２に供給するように制御部２９により制御される。
【００２９】
また、給電装置３は、フォトトランジスタ３５で受電装置２のＬＥＤ１８から送信された確認データ等を受信する一方、ディスプレイ１に表示する画像を変更する場合等、その変更すべき画像データを入力手段としてのパソコン２８から制御部２９に入力し、この制御部２９では入力された画像データを所定のフォーマットに変換する等の処理を行って通信回路３０に出力する。この通信回路３０は、所定のフォーマットに変換された画像データをＬＥＤ３６の駆動用の信号に変換した後、この信号をＬＥＤ３６から受電装置２のフォトトランジスタ１７に非接触にて送信する。
【００３０】
一方、受電装置２の構成において、受電コイル１１は、給電コイル３２と近接かつ平行に対向する位置にあり、これにより当該受電コイル１１との間に電磁誘導回路が構成される。そして、この状態で給電コイル３２に対して上記給電信号が供給されると、その大きさに対応した誘導起電力が受電コイル１１に発生することで当該受電コイル１１から受電部１２を経て受電回路１３に対して受電信号が出力される。
【００３１】
次いで、この受電信号が入力された受電回路１３は、当該受電信号における電流及び電圧を制御部１４に出力し、この制御部１４では受電信号における電流及び電圧を加工し、駆動部１６に出力する。そして、駆動部１６は、ディスプレイ１駆動用の駆動信号を生成し、この駆動信号をディスプレイ１に出力して掲示物としての表示をディスプレイ１上で行わせる。
【００３２】
また、受電装置２は、給電装置３のＬＥＤ３６からの信号をフォトトランジスタ１７で非接触にて受信し、この受信信号を通信回路１５で通信データに変換して制御部１４に出力する。この制御部１４では、上記通信データを画像データに変換し、この画像データを所定のフォーマットに変換する等の処理を行うとともに、給電装置３のＬＥＤ３６から送信されたディスプレイ１に表示する画像データに誤りがないこと等を確認し、その確認データを通信回路１５に出力する。この通信回路１５は、確認データをＬＥＤ１８の駆動用の信号に変換した後、この信号をＬＥＤ１８から給電装置３のフォトトランジスタ３５に非接触にて送信する。したがって、受電装置２のフォトトランジスタ１７と給電装置３のＬＥＤ３６とが互いに対をなし、受電装置２のＬＥＤ１８と給電装置３のフォトトランジスタ３５とが互いに対をなしている。
【００３３】
次に、図３及び図４に基づいて受電装置２及び給電装置３の構造について説明する。
【００３４】
受電装置２は、図３（Ａ），（Ｂ）に示すように全体が矩形平板状に形成され、長手方向一側に配置され、かつディスプレイ１に接続されるリード線１９及びデータ信号を送受信する導線２０と、エポキシ樹脂にガラス不織布を織り込んで積層プレスして作られたガラスエポキシにより成形されたカバーシート２１と、後述するポット型コアを介してカバーシート２１に対向して配置されたアルミニウム製の基板２２と、カバーシート２１と基板２２との間で長手方向他側に配置されたポット型コア２３と、このポット型コア２３に形成された溝に装着された上記受電コイル１１と、を備えて構成されている。
【００３５】
また、受電装置２は、受電コイル１１に接続される上記受電部１２と上記受電回路１３とからなる受電ブロック２４と、この受電ブロック２４とリード線１９及び導線２０との間に配置された駆動部１６からなる昇圧ブロック２５と、リード線１９及び導線２０の近傍にそれぞれ配置され、ポット型コア２３と同一高さのスペーサ２６と、を備えて構成されている。なお、カバーシート１９と基板２２との間には、各構成要素を位置決め固定するために合成樹脂が充填される。このとき、ポット型コア２３及びスペーサ２６によりカバーシート２１と基板２２との間隔が一定に保持される。
【００３６】
さらに、受電装置２のフォトトランジスタ１７及びＬＥＤ１８は、ポット型コア２３の外周壁２３ａ側にそれぞれポット型コア２３を挟んで配置され、図５に示すようにフォトトランジスタ１７及びＬＥＤ１８の導線２０をそれぞれ基板２０の背面に配している。
【００３７】
なお、フォトトランジスタ１７及びＬＥＤ１８上のカバーシート１９には、フォトトランジスタ１７及びＬＥＤ１８の送受信を行う際の赤外光を妨げないように印刷を行わない透光部２７が設けられている。
【００３８】
次に、給電装置３の構造について説明する。
【００３９】
給電装置３は、図４（Ａ），（Ｂ）に示すように受電装置２と同様の外形構造からなり、全体が矩形平板状に形成され、長手方向一側に配置され、かつディスプレイ１に接続されるリード線３７及びデータ信号を送受信する導線３８と、ガラスエポキシにより成形されたカバーシート３９と、後述するポット型コアを介してカバーシート３９に対向して配置されたアルミニウム製の基板４０と、カバーシート３９と基板４０との間で給電装置３の長手方向他側に配置されたポット型コア４１と、このポット型コア４１に形成された溝に装着された上記給電コイル３２と、を備えて構成されている。
【００４０】
また、給電装置３は、給電コイル３２に接続される上記給電部３３、給電回路３１及び検出部３４からなる給電及び制御ブロック４２と、リード線３７及び導線３８の近傍にそれぞれ配置され、ポット型コア４１と同一高さのスペーサ４３と、を備えて構成されている。なお、カバーシート３９と基板４０との間には、受電装置２と同様に各構成要素を位置決め固定するために合成樹脂が充填される。このとき、ポット型コア４１及びスペーサ４３によりカバーシート３９と基板４０との間隔が一定に保持される。
【００４１】
さらに、給電装置３のフォトトランジスタ３５及びＬＥＤ３６は、ポット型コア４１の外周壁４１ａ側にそれぞれポット型コア４１を挟んで配置され、図５に示すようにフォトトランジスタ３５及びＬＥＤ３６の導線３８をそれぞれ基板４０の背面に配している。
【００４２】
なお、フォトトランジスタ３５及びＬＥＤ３６上のカバーシート３９には、フォトトランジスタ３５及びＬＥＤ３６の送受信を行う際の赤外光を妨げないように印刷を行わない透光部４４が設けられている。
【００４３】
次に、本実施形態の作用を説明する。
【００４４】
まず、ディスプレイ１の裏面には、予め受電装置２が取り付けられている。また、受電装置２のカバーシート２１には、壁面に埋設された給電装置３のカバーシート３９が密着するように位置決めされている。
【００４５】
この場合、受電コイル１１に給電コイル３２が近接かつ平行に対向する位置関係となっており、ポット型コア２３とポット型コア４１との間隔が０．４〜０．７ｍｍとなっている。したがって、受電コイル１１に対向する位置に給電装置３の給電コイル３２が配置され、この給電コイル３２に直流電源４からの電流を流すことで電磁誘導作用によりその給電コイル１１に対向する位置にある受電コイル３２に誘導電流を生じさせ、この誘導電流により当該受電コイル３２に電力を供給し、その電力により掲示物としてのディスプレイ１を駆動するようにしている。
【００４６】
また、受電コイル１１に給電コイル３２が近接かつ平行に対向する位置関係にあるとき、ディスプレイ１に表示する画像を変更する場合等、その画像データをＬＥＤ３６から透光部４４，２７を通して受電装置２のフォトトランジスタ１７に非接触にて送信する。
【００４７】
このフォトトランジスタ１７でディスプレイ１に表示する画像データを給電装置３のＬＥＤ３６から非接触にて受信する一方、給電装置３のＬＥＤ３６から送信された画像データに誤りがないこと等を確認し、その確認データをＬＥＤ１８から透光部２７，４４を通して給電装置３のフォトトランジスタ３５に送信する。
【００４８】
すると、給電装置３は、フォトトランジスタ３５で受電装置２のＬＥＤ１８から送信された確認データ等を受信する。これにより、ディスプレイ１に表示する画像を変更することができる。
【００４９】
また、本実施形態では、図３（Ａ）に示すように受電装置２のフォトトランジスタ１７及びＬＥＤ１８は、ポット型コア２３の外周壁２３ａ側にそれぞれポット型コア２３を挟んで配置され、図５に示すようにフォトトランジスタ１７及びＬＥＤ１８の導線２０がそれぞれ基板２０の背面に配線されている。
【００５０】
同様に、給電装置３のフォトトランジスタ３５及びＬＥＤ３６は、ポット型コア４１の外周壁４１ａ側にそれぞれポット型コア２３を挟んで配置され、図５に示すようにフォトトランジスタ３５及びＬＥＤ３６の導線３８がそれぞれ基板４０の背面に配線されている。
【００５１】
したがって、受電装置２のフォトトランジスタ１７及びＬＥＤ１８、給電装置３のフォトトランジスタ３５及びＬＥＤ３６は、ポット型コア２３，４１の外周壁２３ａ，４１ａ側にそれぞれポット型コア２３，４１を挟んで配置したことにより、フォトトランジスタ１７及びＬＥＤ１８、給電装置３のフォトトランジスタ３５及びＬＥＤ３６が分離して配置され、かつポット型コア２３，４１の外周壁２３ａ，４１ａが遮蔽物となるため、給電装置３と受電装置２との間で非接触にて画像データを送受信する場合、受電装置２のフォトトランジスタ１７及びＬＥＤ１８、給電装置３のフォトトランジスタ３５及びＬＥＤ３６のそれぞれのデータ信号が互いに干渉されることなく、通信障害を未然に防止することができる。
【００５２】
その結果、本実施形態では、受電装置２のフォトトランジスタ１７及びＬＥＤ１８、給電装置３のフォトトランジスタ３５及びＬＥＤ３６に広角型のものを使用してもデータ信号が互いに干渉するのを防止することができるため、ＬＥＤ１８，３６から出射される赤外光の波長を同一にすることができる。
【００５３】
また、本実施形態では、図５に示すように受電装置２のフォトトランジスタ１７及びＬＥＤ１８、給電装置３のフォトトランジスタ３５及びＬＥＤ３６の導線２０，３８をそれぞれ基板２２，４０の背面に配線したことにより、給電コイル３２及び受電コイル１１の漏洩磁束φの影響を受けることがなくなり、受電装置２のフォトトランジスタ１７及びＬＥＤ１８、給電装置３のフォトトランジスタ３５及びＬＥＤ３６のそれぞれのデータ信号が互いに干渉されることなく、通信障害を一段と未然に防止することができる。
【００５４】
一方、図６及び図７は、それぞれ本実施形態の比較例を示す拡大平面図である。
【００５５】
図６に示す比較例では、給電コイル３２及び受電コイル１１の漏洩磁束φの影響を受けることがないものの、受電装置２のフォトトランジスタ１７及びＬＥＤ１８、給電装置３のフォトトランジスタ３５及びＬＥＤ３６が隣接して配置されているため、ＬＥＤ１８，３６から出射される光の波長を変更する必要がある。特に、受電装置２のフォトトランジスタ１７及びＬＥＤ１８、給電装置３のフォトトランジスタ３５及びＬＥＤ３６に広角型のものを使用した場合には、それぞれのデータ信号が互いに干渉することになる。
【００５６】
図７に示す比較例では、受電装置２のフォトトランジスタ１７及びＬＥＤ１８、給電装置３のフォトトランジスタ３５及びＬＥＤ３６に広角型のものを使用してもデータ信号の干渉を防止することができるものの、給電コイル３２及び受電コイル１１の漏洩磁束φの影響を受けるため、それぞれのデータ信号が互いに干渉することになる。
【００５７】
このように本実施形態によれば、受電装置２のフォトトランジスタ１７及びＬＥＤ１８、給電装置３のフォトトランジスタ３５及びＬＥＤ３６は、ポット型コア２３，４１の外周壁２３ａ，４１ａ側にそれぞれポット型コア２３，４１を挟んで配置し、受電装置２のフォトトランジスタ１７及びＬＥＤ１８、給電装置３のフォトトランジスタ３５及びＬＥＤ３６の導線２０，３８をそれぞれ基板２２，４０の背面に配線したことにより、各データ信号が互いに干渉されることなく、通信障害を一段と未然に防止することができる。
【００５８】
また、本実施形態によれば、ＬＥＤ１８，３６が広角型であるとともに、フォトトランジスタ１７，３５が広角型であることから、受電装置２及び給電装置３のそれぞれのＬＥＤ１８，３６及びフォトトランジスタ１７，３５の位置決めが容易になり、ＬＥＤ１８，３６及びフォトトランジスタ１７，３５をそれぞれ基板２２，４０に容易に組付けることができる。
【００５９】
なお、本発明は上記実施形態に限定されることなく、種々の変更が可能である。例えば、上記実施形態では、広角型のＬＥＤ１８，３６から赤外光を出射するようにしたが、これに限らずその他の光であってもよい。
【図面の簡単な説明】
【００６０】
【図１】本実施形態の非接触型データ及び電力伝送装置を適用したデータ及び電力伝送システムの概要を示す外観斜視図である。
【図２】図１のデータ及び電力伝送システムの構成を示すブロック図である。
【図３】（Ａ）はカバーシートを除いた図２の給電装置を示す平面図、（Ｂ）は図２の給電装置を示す断面図である。
【図４】（Ａ）はカバーシートを除いた図２の受電装置を示す平面図、（Ｂ）は図２の受電装置を示す断面図である。
【図５】本実施形態の導線の引き回し状態を示す拡大平面図である。
【図６】本実施形態の比較例を示す拡大平面図である。
【図７】本実施形態の比較例を示す拡大平面図である。
【符号の説明】
【００６１】
１…ディスプレイ
２…受電装置
３…給電装置
４…直流電源
１１…受電コイル
１２…受電部
１３…受電回路
１６…駆動部
１７…フォトトランジスタ（受信部）
１８…ＬＥＤ（送信部）
２０…導線
２２…基板
２３…ポット型コア
３１…給電回路
３２…給電コイル
３３…給電部
３４…検出部
３５…フォトトランジスタ（受信部）
３６…ＬＥＤ（送信部）
３８…導線
４０…基板
４１…ポット型コア
【図１】
2007129462.tif 000003
【図２】
2007129462.tif 000004
【図３】
2007129462.tif 000005
【図４】
2007129462.tif 000006
【図５】
2007129462.tif 000007
【図６】
2007129462.tif 000008
【図７】
2007129462.tif 000009